(57)【要約】      （修正有）【課題】簡単な構造で部品点数も少なく小型化が可能なプッシュプル錠を提供する。【解決手段】扉５の表面または裏面に設置されるプルハンドルおよびプッシュハンドルと、扉５の側面に形成した彫込溝に埋設される錠ケース３内にラッチ１とプルハンドルおよびプッシュハンドルの操作によりラッチ１を駆動させる駆動機構２とを収納した錠本体６とからなり、駆動機構２がプルハンドルまたはプッシュハンドルの操作により前方および後方に移動するスライド部材２１と、スライド部材２１に固着されて前後方向に移動するカム２２と、カム２２に連接してカム２２が前方または後方のいずれかの方向に移動したときにラッチ１を後方に移動させるクランク２３とした。【選択図】図２
2016017320.tif 000002
【特許請求の範囲】
【請求項１】
扉の表面または裏面に設置されるプルハンドルおよびプッシュハンドルと、扉の側面に形成した彫込溝に埋設される錠ケース内にラッチと前記プルハンドルおよびプッシュハンドルの操作により前記ラッチを駆動させる駆動機構とを収納した錠本体からなり、前記駆動機構が前記プルハンドルまたはプッシュハンドルの操作により前方および後方に移動するスライド部材と、前記スライド部材に固着されて前後方向に移動するカムと、前記カムに連接して前記カムが前方または後方のいずれかの方向に移動したときに前記ラッチを後方に移動させるクランクとからなることを特徴とするプッシュプル錠。
【請求項２】
前記ラッチが先端にラッチヘッドを有するとともに後端に係合部材を有して前後方向に移動可能に且つ先端方向に付勢されて錠ケースの前板に形成した窓孔から前記ラッチヘッドを出没可能に配置されるとともに、前記駆動機構を形成する前記スライド部材に固着されるカムが前後両端の頂面から中央部へと内方に湾曲する摺動面を形成する全体として断面下向き山形を呈し、前記クランクが前記錠ケースにおける側板内面の前記ラッチの没入時の係合部材の位置よりも後方位置に支点が軸着されるとともに前記ラッチにおける係合部材の前方側に係止させた作用側クランクと先端に前記カムに先端を摺動可能にまたはローラを介して連接することを特徴とする請求項１記載のプッシュプル錠。
【請求項３】
前記スライド部材が前記カムに一体的に形成されて常時は前後両方向からの付勢力により前記カムを前記クランクにおける駆動側クランク先端の回転ローラが前記カムの中央部分に位置する中央位置に保持していて前記プルハンドルおよびプッシュハンドルの作動片を係止する前記扉の表裏面方向へ向けた係合孔を有するとともに前記係合孔に前記扉の表面及び裏面への取付板にプッシュ動作またはプル動作可能に軸着したプルハンドルおよびプッシュハンドルの軸着部に固着された前記作動片の先端が前記錠ケースを通して前記駆動機構を形成するスライド部材の係合孔に差込み係合していることを特徴とする請求項１または２記載のプッシュプル錠。
【発明の詳細な説明】
【技術分野】
【０００１】
本発明は、扉の表面と裏面とに配置したハンドルのプッシュまたはプル動作により扉の側面に配置したラッチを出没させて扉の開閉を行うプッシュプル錠に関するものである。
【背景技術】
【０００２】
従来、屋外や屋内に設置される開き扉には扉の木口面に出没可能に配置したラッチを扉の表面と裏面に配置したハンドルで操作して扉を開閉する形式のラッチ錠が長年にわたり採用されてきた。
【０００３】
前記従来のラッチ錠は丸ハンドルやレバーハンドルを用いるものが一般的であったが、前記従来のラッチ錠は、扉の開閉方向とは別の方向にハンドルを操作してラッチの解錠を行うものであり操作性が悪く、例えば子供や老人のように腕力が弱い者や身体の不自由な者等にとっては扉の開閉が困難であった。
【０００４】
そこで、近頃、扉の内側と外側等の二表面に配置された各ハンドルを押したり引いたりするだけでラッチが没入し枠体との係止が解除されてハンドルの操作方向に扉が開くことによりラッチ付きの扉の開閉操作を容易にした所謂プッシュプル錠が採用されるようになってきている。
【０００５】
前記プッシュプル錠は、例えば特開２００２−１２９７９６号公報（特許文献１）、特開２００４−１００２８３号公報（特許文献２）、特開２００５−３６４０３号公報（特許文献３）、特開２００７−２９７７８８号公報（特許文献４）などに提示されているが、プッシュプル錠は扉に対するハンドルの前後方向の動きを扉の左右方向であるラッチの出没方向に変換する必要性から構造が複雑であり部品数も多く、製造面で不利であるばかりか価格的にも高価となり、また、ラッチを引き込むには一方向に引っ張る必要があるが、プッシュハンドルの押す動作とプルハンドルの引く動作では動作が逆となることからプッシュハンドル側のレバーの方向を機械的に変換しなければならず、機構が増えることになり、錠の機構で対応する場合には機構が全体として複雑になるばかりか奥行きを薄く出来ないという問題があり、座板側で対応する場合には座板自体が厚く、大きくなるという問題がある。
【先行技術文献】
【特許文献】
【０００６】
【特許文献１】特開２００２−１２９７９６号公報
【特許文献２】特開２００４−１００２８３号公報
【特許文献３】特開２００５−３６４０３号公報
【特許文献４】特開２００７−２９７７８８号公報
【発明の開示】
【発明が解決しようとする課題】
【０００７】
本発明はこれら従来のプッシュプル錠が有する問題点を解決することを課題とするものであり、具体的には従来のプッシュプル錠に比べて簡単な構造で部品点数も少なくて済み経済面で優れているばかりか、ラッチ機構を収容する錠ケースの幅を狭く形成したり、錠前の奥行きを小さく収めることが可能で、薄い扉や奥行きの少ない框扉でも設置可能なプッシュプル錠を提供することを課題とする。
【課題を解決するための手段】
【０００８】
前記課題を解決するためになされた本発明に係るプッシュプル錠は、扉の表面または裏面に設置されるプルハンドルおよびプッシュハンドルと、扉の側面に形成した彫込溝に埋設される錠ケース内にラッチと前記プルハンドルおよびプッシュハンドルの操作により前記ラッチを駆動させる駆動機構とを収納した錠本体とからなり、前記駆動機構が前記プルハンドルまたはプッシュハンドルの操作により前方および後方に移動するスライド部材と、前記スライド部材に固着されて前後方向に移動する直動カムと、前記直動カムに連接して前記直動カムが前方または後方のいずれかの方向に移動したときに前記ラッチを後方に移動させるクランクとからなることを特徴とする。
【０００９】
本発明によれば、直動カムを介して駆動側のクランクの先端を前後方向のいずれに回動させてもラッチが後方に移動する構成とすることにより従来のような複雑な変換機構などを必要とせずに簡単な構成でプッシュプル錠を形成することができる。
【００１０】
また、前記ラッチが先端にラッチヘッドを有するとともに後端に係合部材を有して前後方向に移動可能に且つ先端方向に付勢されて錠ケースの前板に形成した窓孔から前記ラッチヘッドを出没可能に配置されるとともに、前記駆動機構を形成する前記スライド部材に固着されるカムが前後両端の頂面から中央部へと内方に湾曲する摺動面を形成する全体として断面下向き山形を呈し、前記クランクが前記錠ケースにおける側板内面の前記ラッチの没入時の係合部材の位置よりも後方位置に支点が軸着されるとともに前記ラッチにおける係合部材の前方側に係止させた作用側クランクと先端に前記カムに先端を摺動可能にまたは回転ローラを介して連接する駆動側クランクとからなるベルクランクであると好ましい。
【００１１】
更に、本発明において、前記スライド部材が前記カムに一体的に形成されて常時は前後両方向からの付勢力により前記カムを前記クランクにおける駆動側のクランク先端の回転ローラが前記カムの中央部分に位置する中央位置に保持していて前記プルハンドルおよびプッシュハンドルの作動片を係止する前記扉の表裏面方向へ向けた係合孔を有するとともに前記係合孔に前記扉の表面及び裏面への取付板にプッシュ動作またはプル動作可能に軸着したプルハンドルおよびプッシュハンドルの軸着部に固着された作動片が先端を前記錠ケースを通して前記駆動機構を形成するスライド部材の係合孔に差込み係合している構成とすることにより、前記ベルクランクを駆動させるカムをプルハンドルおよびプッシュハンドルとにより簡単な構成で確実に作動させることができる。
【発明の効果】
【００１２】
前記構成を有する本発明は、簡単な構造で部品点数も少なくて済み経済面で優れているばかりかラッチ機構を収容する錠ケースの幅を薄く形成したり、奥行きを少なくすることが可能で薄い扉や奥行きの少ない框扉でも設置可能である。
【図面の簡単な説明】
【００１３】
【図１】本発明であるプッシュプル錠の好ましい実施の形態についての概略を示す説明図。
【図２】図１に示した実施の形態の錠ケース内に収容されたラッチ機構および駆動機構の作動状態示す断面図
【図３】図１に示した実施の形態のハンドルについての作動状態を示す説明図。
【発明を実施するための最良の形態】
【００１４】
次に本発明のプッシュプル錠についての実施形態について説明する。
【００１５】
図１は例えば屋内に設置された浴室の出入口に設置された内側へ開く扉についての本発明の好ましい実施の形態を示すものであり、プッシュプル錠は、扉５の表面５２または裏面５１に設置されるプルハンドル４１およびプッシュハンドル４２と、扉５の側面５３に形成した彫込溝５４に埋設される錠ケース３内に設置されたラッチ１と前記プルハンドル４１およびプッシュハンドル４２のハンドル操作により前記ラッチ１を駆動させる駆動機構２とを収納した錠本体６とから構成される。
【００１６】
また、前記駆動機構２が前記プルハンドル４１またはプッシュハンドル４２の操作により前方および後方に移動するスライド部材２１と、前記スライド部材２１に固着されて前後方向に移動するカム２２と、前記カム２２に連接して前記カム２２が前方または後方のいずれかの方向に移動したときに前記ラッチ１を後方に移動させるクランク２３とから構成される。
【００１７】
更に詳述すると、前記ラッチ１は先端にラッチヘッド１１を有するとともに後端に係合部材１２を有して前後方向に移動可能に且つばね部材１３により先端方向に付勢されて錠ケース３の前板３１に形成した窓孔３２からラッチヘッド１１を出没可能に配置される。
【００１８】
更にまた、駆動機構２を形成するスライド部材２１に固着されるカム２２は前後両端の頂面２２１、２２２から中央部へと内方に湾曲する摺動面２２３，２２４を形成する全体として断面下向き山形を呈するカム面を形成し、前記クランク２３が前記錠ケース３における側板３３内面のラッチヘッド１１の没入時の係合部材１２の位置よりも後方位置に支点２３１が軸着されるとともにラッチ１における係合部材１２の前方側に係止させた作用側クランク２３２と先端に前記カム２２に連接する回転ローラ２３３を付設した駆動側クランク２３４とからなるベルクランクを構成している。尚、前記カム２２はカム面または溝などにより形成される。
【００１９】
そして、前記作用側クランク２３２の先端である作用端を前記ラッチ１の係合部材１２の前方側に係止させるとともに支点２３１が施錠位置における前記ラッチ１の係合部材１２の位置よりも後方位置に配置されている。
【００２０】
また、カム２２には前記スライド部材２１が一体的に固着されている。このスライド部材２１は、錠ケース３の側板３３，３３に対向して形成されたスライド孔３４，３４に支持されて前後方向に所定の距離だけ移動可能に配置されるとともにその前後に配置されたばね部材２１１，２１１による前後両方向からの付勢力により通常は前後方向の中央に位置しており、前記カム２２を前記クランク２３における駆動側クランク２３４の先端に付設した回転ローラ２３３が中央位置に保持されている。
【００２１】
更に、前記スライド部材２１は錠ケース３の側面３３，３３に形成されたスライド孔３４，３４に貫通開口する前後方向に所定の幅を有する後述のハンドルの軸着部に固着された作動片４５，４６の係合孔２１４が形成されている。
【００２２】
加えて、前記プルハンドル４１およびプッシュハンドル４２が扉５の表面５２または裏面５１に取り付けた取付板４３，４３に設けた扉の回転軸と同一方向に向けて設置した軸４４，４４によりプル動作またはプッシュ動作可能に軸着されているとともに軸着部に固着された作動片４５，４６が先端を前記ケース錠３の側板３３，３３に形成したスライド孔３４，３４に上下方向に重ねて且つ互いに前記プルハンドル４１およびプッシュハンドル４２をプル動作またはプッシュ動作させた際に互いに干渉しない前後位置に差込み係合している。
【００２３】
尚、図面中符号７は錠本体６に設置されたサムターンであり、前記プルハンドル４１の取付板４３に設置したサムターン摘み７１に連結されて前記錠ケース３内に配置されたサムターンハブ７２の係止片７３が前記ラッチ１の係合部材１２に形成した係止凹部１４に係止されることでラッチ１を施錠位置に保持する構成である。
【００２４】
次に本実施の形態の作動について説明する。
【００２５】
図２（ａ）および図３（ａ）は本実施の形態における扉５を閉じた状態、即ち、プルハンドル４１およびプッシュハンドル４２が引かれたり押されたりすることがなく、プルハンドル４１およびプッシュハンドル４２の作動片４５，４６が係合孔２１４に差込み係合されるスライド部材２１は前後に配置されたばね部材２１１，２１１による前後両方向からの付勢力により錠ケース３の側板３３，３３に対向して形成されたスライド孔３４，３４の前後方向のほぼ中央に位置しており、ラッチ１がばね部材１３の付勢力により前方に押されて前板３１から突出させたラッチヘッド１１を枠体８に形成したストライク８１に嵌挿係止させることで扉５を閉扉状態としている。
【００２６】
このとき、必要であれば、サムターン摘み７１（図１参照）を回転操作してサムターンハブ７２に形成された係止片７３をラッチ１の係合部材１２に形成した係止凹部１４に係止させて（図に鎖線で示した状態）サムターン７を施錠状態にしておくことも可能である。
【００２７】
そして、扉５を外側（表面５２側）から押し開ける場合には、プッシュハンドル４２を押すことにより図２（ｂ）および図３（ｂ）に示すようにプッシュハンドル４２を押すとその作動片４６が軸４４を中心として前方に回動して係合孔２１４に差込み係合されるスライド部材２１を作動片４５に干渉せずに前後に配置されたばね部材２１１，２１１に抗して前方へと移動させるので前記スライド部材２１に一体的に固着されているカム２２も前方に移動するのでカム２２に連接していたクランク２３における駆動側クランク２３４の先端に付設した回転ローラ２３３が摺動面２２３に沿って頂面２２１へと移動する。
【００２８】
そうすると、カム２２の前方への移動によりクランク２３が支点２３１を中心として回動し、作用側クランク２３２が後方へと移動して係止しているラッチ１の係合部材１２をばね部材１３の付勢力に抗して後方へと移動させるのでラッチ１が錠ケース３の内側方向に引かれてラッチヘッド１１を錠ケース３の前板３１に没入させるので枠体８に形成したストライク８１との係止が解除され、更にプッシュハンドル４２を介して扉５を押すことにより扉５が開放する。
【００２９】
また、扉５を内側から（裏面５１側）から引き開ける場合には、図２（ｃ）および図３（ｃ）に示すようにプルハンドル４１を引くとその作動片４５が軸４４を中心として後方に回動して係合孔２１４に差込み係合されるスライド部材２１を作動片４６に干渉せずに前後に配置されたばね部材２１１，２１１に抗して後方へと移動させる。そのため、前記スライド部材２１に一体的に固着されているカム２２も後方に移動するのでカム２２の中央に連接していたクランク２３における駆動側クランク２３４の先端に付設した回転ローラ２３３が摺動面２２４に沿って頂面２２２へと移動する。
【００３０】
そうすると、カム２２の後方への移動によりクランク２３が支点２３１を中心として回動し、作用側クランク２３２が後方へと移動して係止しているラッチ１の係合部材１２をばね部材１３の付勢力に抗して後方へと移動させるのでラッチ１が錠ケース３の内側方向に引かれてラッチヘッド１１を錠ケース３の前板３１に没入させるので枠体８に形成したストライク８１との係止が解除され、更にプルハンドル４１を介して扉５を引くことにより扉５が開放する。
【００３１】
以上のように本実施の形態は、簡単な構成で確実に駆動するプッシュプル錠を提供することができるものであり、特にカム２２が前後のいずれの方向に移動してもラッチ１を解錠させることができるので簡単に扉５の開閉機構に合わせて対応することができる。
【００３２】
尚、本発明は各構成部品を硬質合成樹脂により形成することも可能であり、この場合には湿度の高い浴室ドアなどに採用するのに適している。
【符号の説明】
【００３３】
１  ラッチ、２  駆動機構、３  錠ケース、５  扉、６  錠本体、７  サムターン、８  枠体、１１  ラッチヘッド、１２  係合部材、１３  ばね部材、１４  係止凹部、２１  スライド部材、２２  カム、２３  クランク、３１  前板、３２  窓孔、３３  側板、３４  スライド孔、４１  プルハンドル、４２  プッシュハンドル  ４３  取付板、４４  軸、４５，４６  作動片、５１  裏面、５２  表面、５３  側面、５４  彫込溝、７１  サムターン摘み、７２  サムターンハブ、７３  係止片、２１１  ばね部材、２１４  係合孔、２２１，２２２  頂面、２２３，２２４  摺動面、２３１  支点、２３２  作用側クランク、２３３  回転ローラ、２３４  駆動側クランク
【図１】
2016017320.tif 000003
【図２】
2016017320.tif 000004
【図３】
2016017320.tif 000005